(57)【要約】【課題】      細い孔に糸通しが容易な釣用ビ−スを提供することである。【解決手段】  釣用ビ−ス１は、透光性を有するガラスやナイロン、ＡＢＳ樹脂、ポリカ−ボネ−トなどの合成樹脂材料で形成されて形状は略俵形または円柱形で垂直な釣糸通し孔１ａとこの釣糸通し孔１ａから幾分変心して交差する傾斜した釣糸通し孔１ｂが穿設されている。  釣糸通し孔１ａの孔径は道糸２の外径より幾分大きく、釣糸通し孔１ｂの孔径は釣糸３の外径より幾分大きく穿設され、垂直な釣糸通し孔１ａの上側の開口部１ｃと傾斜した釣糸通し孔１ｂの一側開口部１ｄは夫々ロ−ト状に外側に向けて広がる開口部に形成されて開口部１ｃと開口部１ｄは夫々塗料で着色されて開口部１ｃと開口部１ｄの位置が容易に視認出来るようになっている。【選択図】        図３
2008187903.tif 000002
【特許請求の範囲】
【請求項１】
釣糸通し孔を有する釣用ビ−スにおいて、前記釣糸通し孔の開口部に着色したことを特徴とする釣用ビ−ス。
【請求項２】
透光性を有する材料で形成されたことを特徴とする請求項１記載の釣用ビ−ス。
【請求項３】
釣糸通し孔は外側に向けて広がる開口部を設け、該開口部に着色したことを特徴とする請求項１及び２記載の釣用ビ−ス。
【発明の詳細な説明】
【技術分野】
【０００１】
本発明は、魚釣りに用いる釣用ビ−スに関する。
【背景技術】
【０００２】
道糸や枝糸等の釣糸を通して仕掛に取り付ける釣用ビ−スは小さな釣具なので、釣用ビ−スの細い孔に道糸や釣糸を通すことが非常に難しい。
【特許文献１】特開平１０−９８９９５公報
【発明の開示】
【発明が解決しようとする課題】
【０００３】
解決しようとする問題点は、釣用ビ−スの細い孔に糸通しが非常に難しいことである。
【０００４】
本発明の目的は前記欠点に鑑み、細い孔に糸通しが容易な釣用ビ−スを提供することである。
【課題を解決するための手段】
【０００５】
本発明の請求項１は、釣糸通し孔を有する釣用ビ−スにおいて、前記釣糸通し孔の開口部に着色したことを要旨とするものである。
本発明の請求項２は、透光性を有する材料で形成されたことを要旨とするものである。
本発明の請求項３は、釣糸通し孔は外側に向けて広がる開口部を設け、該開口部に着色したことを要旨とするものである。
【発明の効果】
【０００６】
本発明により、釣用ビ−スの釣糸通し孔の開口部に着色することで孔位置が視認し易くなり、釣糸が挿通し易くなる。
【発明を実施するための最良の形態】
【０００７】
釣用ビ−ス１は、透光性を有するガラスやナイロン、ＡＢＳ樹脂、ポリカ−ボネ−トなどの合成樹脂材料で形成されている。
形状は略俵形または円柱形で垂直な釣糸通し孔１ａとこの釣糸通し孔１ａから幾分変心して交差する傾斜した釣糸通し孔１ｂが穿設されている。
釣糸通し孔１ａの孔径は道糸２の外径より幾分大きく穿設されて釣用ビ−ス１が道糸２の回りを回転可能に形成されている。
釣糸通し孔１ｂの孔径は釣糸３の外径より幾分大きく穿設されて釣糸通し孔１ｂの中を釣糸３が回転可能に形成されている。
垂直な釣糸通し孔１ａの上側の開口部１ｃと傾斜した釣糸通し孔１ｂの一側開口部１ｄは夫々ロ−ト状に外側に向けて広がる開口部に形成されている。
ロ−ト状に外側に向けて広がる開口部１ｃと開口部１ｄは夫々塗料で着色されて開口部１ｃと開口部１ｄの位置が容易に視認出来るようになっている。
【実施例１】
【０００８】
以下、図示の実施例によって本発明を説明すると、図１から図７は第１実施例で図１は道糸に複数の釣用ビ−スが通されて各釣用ビ−スに釣糸が通された釣糸の側面図、図２は釣用ビ−スに道糸と釣糸が通された拡大側面図、図３は釣用ビ−スの平面図、図４は図３のＦ４−Ｆ４断面線の断面側面図、図５は図３のＦ５−Ｆ５断面線の断面側面図、図６は釣用ビ−スの斜視図、図７は釣用ビ−スの釣糸通し孔に糸を通す工程図である。
【０００９】
釣用ビ−ス１は、透光性を有するガラスやナイロン、ＡＢＳ樹脂、ポリカ−ボネ−トなどの合成樹脂材料で形成されている。
形状は略俵形または円柱形で垂直な釣糸通し孔１ａとこの釣糸通し孔１ａから幾分変心して交差する傾斜した釣糸通し孔１ｂが穿設されている。
釣糸通し孔１ａと釣糸通し孔１ｂは釣用ビ−ス１が透光性を有しているため、釣用ビ−ス１を通じて外側から視認出来る。
釣糸通し孔１ａの孔径は道糸２の外径より幾分大きく穿設されて釣用ビ−ス１が道糸２の回りを回転可能に形成されている。
釣糸通し孔１ｂの孔径は釣糸３の外径より幾分大きく穿設されて釣糸通し孔１ｂの中を釣糸３が回転可能に形成されている。
垂直な釣糸通し孔１ａの上側の開口部１ｃと傾斜した釣糸通し孔１ｂの一側開口部１ｄは夫々ロ−ト状に外側に向けて広がる開口部に形成されている。
ロ−ト状に外側に向けて広がる開口部１ｃと開口部１ｄは夫々塗料で釣用ビ−ス１と異なる色で着色されて開口部１ｃと開口部１ｄの位置が容易に視認出来るようになっている。
釣糸通し孔１ａと釣糸通し孔１ｂを孔の長手方向に正面から見た時に開口部１ｃと開口部１ｄは孔の径が広がっているため大きく見える。
また、塗料で着色されて開口部１ｃと開口部１ｄは透光性が低下するため光沢が規制されるため開口部が見つけ易く、さらに、釣糸は開口部１ｃ、１ｄの傾斜面に当接し、誘導されて差し込まれるため、釣糸の挿入が容易になる。
開口部１ｃと開口部１ｄの着色の色は異なる方が視認し易い。
【００１０】
釣用ビ−ス１の釣糸通し孔１ａ、１ｂに糸通しを行う時は、図７のように釣用ビ−ス１を手の指で保持して糸を通す釣糸通し孔を横に向けて他の手の指で通す糸を掴んで開口部に向けて糸先を進めて通す。
この時開口部に着色していると、釣糸通し孔が選び易い。
さらに、釣糸通し孔１ａ、釣糸通し孔１ｂの内側を除いて開口部１ｃ、開口部１ｄのみ着色しているため釣糸通し孔１ａと釣糸通し孔１ｂの中央と着色された開口部１ｃ、開口部１ｄの傾斜面とが区別できてより釣糸の挿入が容易になっている。
釣糸通し孔１ａに道糸２を通した後は釣用ビ−ス１の上下に接近して結び目２ａ、２ｂを作って釣用ビ−ス１の移動範囲を決め、その位置から離れた位置に他の結び目２ｃを作って次の釣用ビ−ス１の釣糸通し孔に道糸２を通してその上方に接近して上側の結び目２ｄを作り順次結び目２ｅを作って釣用ビ−ス１を通してその上側に結び目２ｆを作って行く。
各釣用ビ−ス１の釣糸通し孔１ｂには釣糸３を通す。
釣糸３は一側に釣針４を取り付け、他側を釣糸通し孔１ｂに通した後結び目３ａを作り抜け止めする。
【００１１】
前記のように釣用ビ−スが構成されると、垂直な釣糸通し孔１ａの上側の開口部１ｃと傾斜した釣糸通し孔１ｂの一側開口部１ｄに夫々着色することで孔位置が一目瞭然となって視認し易くなる。
開口部１ｃと開口部１ｄに夫々異なった色の着色をすると識別が極めて容易になる。
【実施例２】
【００１２】
図８は第２実施例で、図８は釣用ビ−スの拡大断面側面図である。
【００１３】
第２実施例の釣用ビ−ス１の垂直な釣糸通し孔１ａの上側の開口部１ｅと傾斜した釣糸通し孔１ｂの一側開口部１ｆは夫々角形の凹部に形成されている。
角形の凹部で形成された開口部１ｅ、１ｆには夫々着色がなされている。
開口部１ｅ、１ｆの着色の色を夫々異なる色としてもよい。
垂直な釣糸通し孔１ａと傾斜した釣糸通し孔１ｂの開口部を別々の形状に形成してもよい。
開口部１ｅ、１ｆは、角形の凹部に形成され釣糸通し孔１ａ、釣糸通し孔１ｂより径が広がって形成され、また、釣糸通し孔１ａ、釣糸通し孔１ｂに交差する方向の面を有するため着色した開口部１ｅ、１ｆが見やすくなる。
また開口部１ｅ、１ｆで差し込んだ釣糸が案内されるため釣糸が挿入しやすい。
他の構成は前記第１実施例と略同一である。
【実施例３】
【００１４】
図９は第３実施例で、図９は釣用ビ−スの拡大断面側面図である。
【００１５】
第３実施例の釣用ビ−ス１の垂直な釣糸通し孔１ａの上側の開口部１ｇと傾斜した釣糸通し孔１ｂの一側開口部１ｈは夫々フラットな平面に形成されて夫々着色がなされている。
開口部１ｇと開口部１ｈの着色の色を夫々異なる色としてもよい。
垂直な釣糸通し孔１ａと傾斜した釣糸通し孔１ｂの開口部を別々の形状に形成してもよい。
第３実施例では開口部１ｇ、開口部１ｈが釣糸通し孔１ａ、１ｂに対し広がって形成されていないが、開口部１ｇ、開口部１ｈの縁部に沿って着色したため開口部１ｇ、開口部１ｈの位置が容易に確認でき、糸通しが容易に行える。
他の構成は前記第１実施例と略同一である。
【産業上の利用可能性】
【００１６】
本発明は釣用ビ−スの全般に利用できる。
【図面の簡単な説明】
【００１７】
【図１】第１実施例で、道糸に複数の釣用ビ−スが通されて各釣用ビ−スに釣糸が通された釣糸の側面図である。
【図２】同釣用ビ−スに道糸と釣糸が通された拡大側面図である。
【図３】同釣用ビ−スの平面図である。
【図４】同図３のＦ４−Ｆ４断面線の断面側面図である。
【図５】同図３のＦ５−Ｆ５断面線の断面側面図である。
【図６】同釣用ビ−スの斜視図である。
【図７】同釣用ビ−スの釣糸通し孔に糸を通す工程図である。
【図８】第２実施例で、釣用ビ−スの拡大断面側面図である。
【図９】第３実施例で、釣用ビ−スの拡大断面側面図である。
【符号の説明】
【００１８】
１  釣用ビ−ス
１ａ、１ｂ  釣糸通し孔
１ｃ、１ｄ、１ｅ、１ｆ、１ｇ、１ｈ  開口部
【図１】
2008187903.tif 000003
【図２】
2008187903.tif 000004
【図３】
2008187903.tif 000005
【図４】
2008187903.tif 000006
【図５】
2008187903.tif 000007
【図６】
2008187903.tif 000008
【図７】
2008187903.tif 000009
【図８】
2008187903.tif 000010
【図９】
2008187903.tif 000011